(57)【特許請求の範囲】
【請求項１】
複数の吸収性パッドが積層され、最も上側の第１吸収性パッドと、その下側に設けられた第２吸収性パッドを有する吸収性パッド積層体であって、
前記吸収性パッドは、吸収体と、前記吸収体の上側に配された表面シートと、前記吸収体の下側に配された裏面シートとを有し、
前記第２吸収性パッドは前記第１吸収性パッドの外縁より外方に延在し、
前記第１吸収性パッドが白色であり、前記第２吸収性パッドの裏面シートが白色以外に着色されており、
最も下側の吸収性パッド以外の吸収性パッドが少なくとも、前記裏面シートが水溶性フィルムを含んで構成され、水溶性フィルムが溶けることにより外部へ液が漏洩可能に形成されていることを特徴とする吸収性パッド積層体。
【請求項２】
前記第２吸収性パッドは前記第１吸収性パッドよりも長手方向の外方に延在している請求項１に記載の吸収性パッド積層体。
【請求項３】
前記第２吸収性パッドの下側にさらに第３吸収性パッドが設けられ、
前記第３吸収性パッドは前記第２吸収性パッドの外縁より外方に延在し、
前記第３吸収性パッドが白色である請求項１に記載の吸収性パッド積層体。
【請求項４】
前記第２吸収性パッドは前記第１吸収性パッドよりも長手方向の外方に延在しており、
前記第３吸収性パッドは前記第２吸収性パッドよりも長手方向の外方に延在している請求項３に記載の吸収性パッド積層体。
【請求項５】
上下に隣接する前記吸収性パッドは、取り外し可能に互いに接合され、
上側の吸収性パッドの外縁は、下側の吸収性パッドの外縁よりも内方に位置する部分で、下側の吸収性パッドと接合されずに、非接合領域が形成されており、
前記非接合領域は、上側の吸収性パッドの外縁から１ｍｍ以上１０ｍｍ以下の奥行きで形成されている請求項１〜４のいずれか一項に記載の吸収性パッド積層体。
【請求項６】
前記非接合領域はエンボス加工されている請求項５に記載の吸収性パッド積層体。
【請求項７】
最も下側の吸収性パッド以外の吸収性パッドの前記裏面シートが水溶性フィルムを含んで構成され、水溶性フィルムが溶けることにより外部へ液が漏洩可能に形成されている請求項１〜６のいずれか一項に記載の吸収性パッド積層体。
【請求項８】
前記裏面シートは、水溶性フィルムを含んで構成される第１裏面シートと、液透過性の第２裏面シートとが重ねられて構成され、
前記第２吸収性パッドの前記第２裏面シートが白色以外に着色されている請求項１〜７のいずれか一項に記載の吸収性パッド積層体。
【請求項９】
前記裏面シートは、水溶性フィルムを含んで構成される第１裏面シートと、液透過性の第２裏面シートとが重ねられて構成され、
前記液透過性の第２裏面シートが前記水溶性フィルムの下側に設けられている請求項１〜８のいずれか一項に記載の吸収性パッド積層体。
【請求項１０】
トップシートとバックシートとこれらの間に配された主吸収体とを有する吸収性物品であって、
前記トップシートの上面に、請求項１〜９のいずれか一項に記載の吸収性パッド積層体が設けられていることを特徴とする吸収性物品。
【発明の詳細な説明】
【技術分野】
【０００１】
本発明は、尿等の排泄物を収容するための吸収性パッドが複数積層された吸収性パッド積層体と、この吸収性パッド積層体を備えた吸収性物品に関するものである。
【背景技術】
【０００２】
従来、尿等の排泄物を収容するための吸収性パッドが複数積層された吸収性パッド積層体が知られている。このような吸収性パッド積層体は、パッドそのものを交換しなくても、吸収性パッドを上から順に取り外すことで新たな吸収性パッドを使用することができるため、取り扱いに優れたものとなる。例えば、特許文献１には、複数の吸収性パッドが積層され、下層の吸収性パッドほど幅が小さく形成された吸収性パッド積層体が開示されている。
【先行技術文献】
【特許文献】
【０００３】
【特許文献１】特開２０１１−７２３３５号公報
【発明の概要】
【発明が解決しようとする課題】
【０００４】
吸収性パッド積層体は、吸収性パッドを上から順に取り外して使用するが、吸収性パッド積層体を着用者の股間に取り付けた状態では、吸収性パッドを取り外す作業が困難となりやすい。また、吸収性パッドの使用状況によっては、一度に２つ以上の吸収性パッドを取り外すことが望まれる場合があるが、従来の吸収性パッド積層体では、吸収性パッドを上から順に１つずつ取り外す必要があり、取り外し作業が面倒となりがちである。
【０００５】
本発明は前記事情に鑑みてなされたものであり、その目的は、任意の吸収性パッドを容易に判別でき、１つまたは２つ以上の吸収性パッドを簡単に取り外すことができる吸収性パッド積層体、および当該吸収性パッド積層体を備えた吸収性物品を提供することにある。
【課題を解決するための手段】
【０００６】
前記課題を解決することができた本発明の吸収性パッド積層体とは、複数の吸収性パッドが積層され、最も上側の第１吸収性パッドと、その下側に設けられた第２吸収性パッドを有する吸収性パッド積層体であって、第２吸収性パッドが第１吸収性パッドの外縁より外方に延在し、第１吸収性パッドと第２吸収性パッドが互いに異なる色または柄を有するところに特徴を有する。本発明の吸収性パッド積層体は、上面側から見て第１吸収性パッドと第２吸収性パッドを容易に判別できるため、吸収性パッドの使用状況に応じて、第１吸収性パッドと第２吸収性パッドのうちから取り外す吸収性パッドを選んで、第１吸収性パッドのみを取り外したり、第１吸収性パッドと第２吸収性パッドの両方を一度に取り外したりすることが簡単に行える。そのため、吸収性パッドの取り外し作業を楽に行うことができ、また所望の吸収性パッドを取り外すことで、吸収性パッド積層体をフレッシュな状態で使用することが可能となる。
【０００７】
第１吸収性パッドは白色であり、第２吸収性パッドは白色以外に着色されていることが好ましい。吸収性パッドは一般に白色であることから、吸収性パッド積層体を使用する際に最も目立つ第１吸収性パッドが白色を有していれば、使用者が吸収性パッド積層体に対して視覚的な違和感を覚えにくくなる。また、第１吸収性パッドには着色を施さなくても済むため、吸収性パッド積層体の製造コストを抑えることができる。
【０００８】
第２吸収性パッドは第１吸収性パッドよりも長手方向の外方に延在していることが好ましい。第２吸収性パッドが第１吸収性パッドよりも長手方向の外方に延在していれば、吸収性パッド積層体を装着した状態で第１吸収性パッドを取り外すことが容易に行える。
【０００９】
本発明の吸収性パッド積層体は、第２吸収性パッドの下側にさらに第３吸収性パッドが設けられていてもよい。この場合、第３吸収性パッドは第２吸収性パッドの外縁より外方に延在し、第２吸収性パッドと第３吸収性パッドが互いに異なる色または柄を有することが好ましい。このように吸収性パッド積層体が構成されていれば、吸収性パッド積層体の上面側から見て、第１吸収性パッドと第２吸収性パッドと第３吸収性パッドを容易に判別することができる。そのため、吸収性パッドの使用状況に応じて、所望する吸収性パッドを１つまたは２つ以上取り外すことが簡単に行うことができる。従って、このように吸収性パッド積層体が構成されていても、吸収性パッドの取り外し作業を楽に行うことができる。
【００１０】
吸収性パッド積層体が第１〜第３吸収性パッドを有する場合、第１吸収性パッドと第３吸収性パッドは白色であり、第２吸収性パッドは白色以外に着色されていることが好ましい。このように吸収性パッド積層体が構成されていれば、使用者が吸収性パッド積層体に対して視覚的な違和感を覚えにくくなるとともに、第１吸収性パッドと第３吸収性パッドに着色を施さなくても済むため、吸収性パッド積層体の製造コストを抑えることができる。
【００１１】
吸収性パッド積層体が第１〜第３吸収性パッドを有する場合、第２吸収性パッドは第１吸収性パッドよりも長手方向の外方に延在し、第３吸収性パッドは第２吸収性パッドよりも長手方向の外方に延在していることが好ましい。このように各吸収性パッドが形成されていれば、吸収性パッド積層体を装着した状態で、第１吸収性パッドや第２吸収性パッドを取り外すことが容易に行える。
【００１２】
吸収性パッドは、吸収体と、吸収体の上側に配された表面シートと、吸収体の下側に配された裏面シートとを有し、少なくとも第２吸収性パッドの裏面シートが着色されていることが好ましい。吸収性パッドの構成部材のうち裏面シートが着色されていれば、吸収性パッドの上面側から見た際に、裏面シートよりも上側に配された吸収体によって、着色された部分が吸収性パッドの周縁部分に限定されることとなる。そのため、使用者が吸収性パッドに対して視覚的な違和感を覚えにくくなる。
【００１３】
上下に隣接する吸収性パッドは取り外し可能に互いに接合され、上側の吸収性パッドの外縁は、下側の吸収性パッドの外縁よりも内方に位置する部分で、下側の吸収性パッドと接合されずに非接合領域が形成されており、非接合領域は、上側の吸収性パッドの外縁から１ｍｍ以上１０ｍｍ以下の奥行きで形成されていることが好ましい。このように吸収性パッドの外縁およびその近傍に非接合領域が形成されていれば、上側の吸収性パッドを下側の吸収性パッドから取り外す際に、上側の吸収性パッドの外縁を摘まみやすくなる。そのため、上下に隣接する吸収性パッドが互いに異なる色または柄を有するように形成されるのと相まって、吸収性パッドを取り外す作業が容易になる。また、非接合領域が過剰に形成されないことにより、吸収性パッドの外縁が浮き上がって折れ曲がったりしにくくなる。
【００１４】
非接合領域はエンボス加工されていることが好ましい。非接合領域がエンボス加工されていれば、非接合領域の剛性が高まり、吸収性パッドの長手方向の端部を摘まみやすくなるとともに、吸収性パッドの長手方向の端部が折れ曲がりにくくなる。
【００１５】
本発明はまた、液透過性のトップシートと、液不透過性のバックシートと、これらの間に配された主吸収体とを有する吸収性物品であって、トップシートの上面に、本発明の吸収性パッド積層体が設けられた吸収性物品を提供する。本発明の吸収性物品は、着用者からの尿等の排泄状況に応じて、トップシートの上面に設けられた吸収性パッド積層体から吸収性パッドを適宜１つまたは２つ以上取り外して使用することができる。この際、吸収性パッド積層体を構成する各吸収性パッドを容易に判別できるため、取り外す吸収性パッドを簡単に選ぶことができ、吸収性パッドの取り外し作業を簡単に行えるようになる。
【発明の効果】
【００１６】
本発明の吸収性パッド積層体は、下側に設けられた第２吸収性パッドがその上側に設けられた第１吸収性パッドの外縁より外方に延在し、第１吸収性パッドと第２吸収性パッドが互いに異なる色または柄を有しているため、吸収性パッド積層体の上面側から見て第１吸収性パッドと第２吸収性パッドを容易に判別できる。そのため、吸収性パッドの使用状況に応じて、第１吸収性パッドと第２吸収性パッドのうちから取り外す吸収性パッドを選んで、第１吸収性パッドのみを取り外したり、第１吸収性パッドと第２吸収性パッドの両方を一度に取り外したりすることが簡単に行える。
【図面の簡単な説明】
【００１７】
【図１】本発明の吸収性パッド積層体を表面シート側から見た平面図を表す。
【図２】図１に示した吸収性パッド積層体のＡ−Ａ断面図を表す。
【発明を実施するための形態】
【００１８】
本発明は、吸収性パッドが複数積層された吸収性パッド積層体に関するものである。本発明の吸収性パッド積層体は、単独で、または別体の吸収性物品（例えば、使い捨ておむつや尿パッド）と併用して用いることができるものである。前者の場合、吸収性パッド積層体は、例えば着用者の下着（パンツ）の内面に取り付けて用いられる。後者の場合、吸収性パッド積層体は、例えば別体の吸収性物品の上面に載置して用いられる。
【００１９】
吸収性パッド積層体を構成する吸収性パッドは、尿等の排泄物を吸収できる吸収性材料を含み、パッド状に形成されたものであれば特に限定されない。吸収性パッドの形状（平面形状）は特に限定されない。吸収性パッドの形状は、用途に応じて適宜決定すればよく、例えば、略長方形、砂時計形、ひょうたん形、羽子板形等が挙げられる。
【００２０】
吸収性パッドは、例えば、吸収体と、吸収体の上側に配された表面シートと、吸収体の下側に配された裏面シートとを有する。吸収性パッド積層体において、上側とは、吸収性パッド積層体を装着した際に着用者の肌に向く側を意味する。下側とは、吸収性パッド積層体を装着した際の着用者とは反対側を意味する。長手方向とは、吸収性パッド積層体を装着した際、着用者の股間の前後方向に延びる方向を意味する。幅方向とは、吸収性パッド積層体を装着した際の着用者の左右方向に相当する。
【００２１】
吸収体は、尿等の排泄物を吸収できる吸収性材料を含むものであれば特に限定されない。吸収体としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２２】
吸収性材料は、尿等の吸収速度を高める点から、親水性繊維を含むことが好ましい。また、吸収容量を高める点から、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２３】
吸収体は、シート状吸収体であってもよい。シート状吸収体としては、液透過性シート間に吸水性樹脂を有しパルプ繊維を有しないように形成されたものが挙げられる。このように形成されたシート状吸収体は、高い吸収容量を有しつつ、嵩張らず薄型に形成することができる。
【００２４】
吸収体の形状（平面形状）は特に限定されない。吸収体の形状は、用途に応じて適宜決定すればよく、例えば、略長方形、砂時計形、ひょうたん形、羽子板形等が挙げられる。
【００２５】
表面シートは、吸収体の上側に配されるシートであり、液透過性であることが好ましい。表面シートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、表面シートとして、織布、編布、有孔プラスチックフィルム等を用いてもよい。
【００２６】
裏面シートは、吸収体の下側に配されるシートであり、液透過性であっても液不透過性であってもよい。裏面シートが液透過性であれば、吸収性パッド積層体を使用した際に、上側の吸収性パッドから下側の吸収性パッドに尿等が移行できるようになり、吸収性パッド積層体を長時間使用した場合などでも尿等の漏れが起こりにくくなる。裏面シートが液不透過性であれば、吸収性パッド積層体を使用する際、例えば着用者から尿等が排泄されるたびに吸収性パッドを取り外すことで、フレッシュな状態で吸収性パッド積層体を使用することが可能となる。なお裏面シートは、後述するように、水溶性フィルムを含んで構成されてもよい。
【００２７】
裏面シートが液透過性である場合、裏面シートとしては、表面シートに使用可能なシート部材を用いることができる。裏面シートが液不透過性である場合は、裏面シートとして、例えば、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２８】
表面シートや裏面シートとして不織布を用いる場合、不織布としては、スパンボンド不織布、ポイントボンド不織布、エアスルー不織布、メルトブロー不織布、エアレイド不織布、スパンレース不織布、ＳＭＳ不織布等を用いることが好ましい。
【００２９】
吸収性パッドの上面には、幅方向の両側に立ち上がりフラップが設けられていてもよい。立ち上がりフラップを設けることにより、尿等の横漏れが防止される。立ち上がりフラップは、例えば、表面シートの幅方向の両側に、長手方向に延在する防漏用シートを接合し、防漏用シートの幅方向内方に弾性部材を設けることにより形成される。このように防漏用シートと弾性部材とを設けることにより、弾性部材の収縮力により防漏用シートの幅方向内方が着用者の肌に向かって立ち上がり、立ち上がりフラップが形成される。立ち上がりフラップまたは防漏用シートは、液不透過性のプラスチックフィルムや液不透過性の不織布等により構成されることが好ましい。
【００３０】
立ち上がりフラップに設けられる弾性部材としては、ポリウレタン糸、ポリウレタンフィルム、天然ゴム等の通常の使い捨ておむつ等の吸収性物品に用いられる弾性伸縮材料を用いることができる。弾性部材は、伸張状態で、ホットメルト接着剤で固定されることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。
【００３１】
吸収性パッド積層体は、吸収性パッドが複数積層されて形成されている。上記に説明した吸収性パッドが積層される場合、吸収性パッド積層体は、上下に隣接する吸収性パッドの上側の吸収性パッドの裏面シートと下側の吸収性パッドの表面シートとが対面するように、吸収性パッドが複数積層される。
【００３２】
積層された吸収性パッドどうしは、公知の接合手段で、取り外し可能に互いに接合されていることが好ましい。例えば、断続的に塗布された接着剤、押圧（エンボス）、熱融着等により、積層された吸収性パッドどうしが取り外し可能に接合されていることが好ましい。接合手段は、各吸収性パッドの外縁またはその近傍に設けられることが好ましく、例えば、各吸収性パッドの外縁から３０ｍｍ以内（好ましくは２０ｍｍ以内であり、より好ましくは１０ｍｍ以内）の領域に設けられる。
【００３３】
吸収性パッド積層体の下面、すなわち吸収性パッド積層体の最も下側に位置する吸収性パッドの下面には、別体の吸収性物品や下着（パンツ）に取り付けるための固定手段が設けられてもよい。固定手段としては、接着剤やフック・ループ・ファスナーのフック部材等が挙げられる。吸収性パッド積層体の下面に固定手段が設けられていれば、吸収性パッド積層体を別体の吸収性物品の上面に載置したり下着（パンツ）の内面に取り付けて用いる場合に、吸収性パッド積層体を別体の吸収性物品や下着に好適に固定することができる。なお吸収性パッド積層体は、下面に固定手段が設けられず、別体の吸収性物品の上面に単に載置して用いられるものであってもよい。
【００３４】
吸収性パッド積層体は、複数の吸収性パッドが積層されたものであれば、積層する吸収性パッドの数は特に限定されない。なお吸収性パッド積層体は、厚みが厚くなりすぎない方が取り扱い性や着用感が良好となりやすくなることから、積層される吸収性パッドの数は５つ以下が好ましく、４つ以下がより好ましく、３つ以下がさらに好ましい。本発明では、最も上側の吸収性パッドから下側に順に、第１吸収性パッド、第２吸収性パッド、第３吸収性パッド・・・と称する。
【００３５】
吸収性パッド積層体が、最も上側の第１吸収性パッドと、その下側に設けられた第２吸収性パッドを有する場合、吸収性パッド積層体は、第２吸収性パッドが第１吸収性パッドの外縁より外方に延在するように設けられていることが好ましい。なお、第１吸収性パッドと第２吸収性パッドは上下に隣接して設けられることが好ましい。このように第１吸収性パッドと第２吸収性パッドが設けられていれば、吸収性パッド積層体の上面側から第１吸収性パッドと第２吸収性パッドの両方を見ることが可能となる。従って、吸収性パッドの使用状況に応じて、第１吸収性パッドのみを取り外したり、第１吸収性パッドと第２吸収性パッドの両方を一度に取り外したりすることが可能となり、吸収性パッド積層体をフレッシュな状態で使用することができるようになる。
【００３６】
例えば、吸収性パッドの裏面シートが液透過性である場合は、尿等の排泄量に応じて第１吸収性パッドのみが使用される状況と、第１吸収性パッドとともに第２吸収性パッドが使用される状況が起こり得る。そのため、吸収性パッドの使用状況に応じて、取り外す吸収性パッドを簡単に選ぶことができれば、吸収性パッドの取り外し作業が簡単に行えるようになる。吸収性パッドの裏面シートが液不透過性の場合であっても、大量に尿等が排泄されることにより、第１吸収性パッドから尿等が溢れて第２吸収性パッドも尿等の吸収に使用される場合が起こり得る。従って、この場合も、取り外す吸収性パッドを簡単に選ぶことができれば、吸収性パッドの取り外し作業が楽になる。
【００３７】
吸収性パッド積層体が、最も上側の第１吸収性パッドと、その下側に設けられた第２吸収性パッドと、さらにその下側に設けられた第３吸収性パッドを有する場合は、第２吸収性パッドが第１吸収性パッドの外縁より外方に延在し、第３吸収性パッドが第２吸収性パッドの外縁より外方に延在していることが好ましい。なお、第２吸収性パッドは、第１吸収性パッドと第３吸収性パッドと上下に隣接して設けられることが好ましい。このように第１吸収性パッドと第２吸収性パッドと第３吸収性パッドが設けられていれば、吸収性パッド積層体の上面側から第１吸収性パッドと第２吸収性パッドと第３吸収性パッドを見ることが可能となる。従って、吸収性パッドの使用状況に応じて、所望する吸収性パッドを一度に１つまたは２つ以上取り外すことが可能となる。
【００３８】
つまり、吸収性パッド積層体においては、上下に隣接する吸収性パッドの下側の吸収性パッドが上側の吸収性パッドの外縁より外方に延在するように形成されていることが好ましい。このように吸収性パッド積層体が形成されていれば、各吸収性パッドを吸収性パッド積層体の上面側から見ることができ、吸収性パッドの使用状況に応じて、所望する吸収性パッドを一度に１つまたは２つ以上取り外すことが可能となる。
【００３９】
上下に隣接する吸収性パッドにおいては、下側の吸収性パッドが上側の吸収性パッドの外縁の少なくとも一部より外方に延在していればよいが、好ましくは、下側の吸収性パッドは上側の吸収性パッドよりも長手方向の外方に延在している。具体的には、第２吸収性パッドは第１吸収性パッドよりも長手方向の外方に延在していることが好ましく、第３吸収性パッドは第２吸収性パッドよりも長手方向の外方に延在していることが好ましい。このように各吸収性パッドが形成されていれば、吸収性パッド積層体を装着した状態で、着用者や介護者が第１吸収性パッドや第２吸収性パッドを取り外すことが容易に行えるようになる。
【００４０】
下側の吸収性パッドが上側の吸収性パッドよりも長手方向の外方に延在して形成される場合、上下に隣接する吸収性パッドの幅方向の長さの関係については、下側の吸収性パッドが上側の吸収性パッドと幅方向に同じ長さに形成されてもよく、下側の吸収性パッドが上側の吸収性パッドよりも幅方向の外方に延在するように形成されていてもよい。前者の場合、上側の吸収性パッドから尿等が溢れて下側の吸収性パッドに移行することが起こりにくくなり、上側の吸収性パッドから順次吸収性パッドを使用することが容易になる。後者の場合は、上側の吸収性パッドを幅方向の端部からも取り外しやすくなる。また、上側の吸収性パッドが下側の吸収性パッドよりも幅方向に広く形成されていてもよく、この場合、上側の吸収性パッドだけを摘まむことが容易になり、上側の吸収性パッドを取り外しやすくなる。吸収性パッド積層体は、上下に隣接する吸収性パッドが、下側の吸収性パッドが上側の吸収性パッドよりも面積が広く形成されていることも好ましい。
【００４１】
ところで複数の吸収性パッドを積層する場合、同じような吸収性パッドを積層するのが一般的であり、従って、例えば第２吸収性パッドが第１吸収性パッドよりも長手方向の外方に延在していても、第１吸収性パッドと第２吸収性パッドが判別しにくい場合がある。特に、吸収性パッドは一般に白色であり、白色の吸収性パッドが複数重なっている場合は、上側の吸収性パッドと下側の吸収性パッドを判別するのが難しくなりがちである。そこで本発明の吸収性パッド積層体では、第１吸収性パッドと第２吸収性パッドが互いに異なる色または柄を有するようにしている。第１吸収性パッドと第２吸収性パッドが互いに異なる色または柄を有していれば、第１吸収性パッドと第２吸収性パッドを容易に判別でき、取り外す吸収性パッドを簡単に選ぶことができる。もちろん、第１吸収性パッドと第２吸収性パッドは互いに異なる色の異なる柄を有していてもよく、「異なる色または柄」とは、異なる柄が異なる色で付与されることを排除するものではない。柄には、模様、イラスト、記号、文字、数字等が含まれ、無地も柄の一種とする。柄は着色されていてもよい。
【００４２】
吸収性パッド積層体が第１〜第３吸収性パッドを有する場合は、第１吸収性パッドと第２吸収性パッドが互いに異なる色または柄を有し、第２吸収性パッドと第３吸収性パッドが互いに異なる色または柄を有することが好ましい。このように第１〜第３吸収性パッドが構成されていれば、第１吸収性パッドと第２吸収性パッドと第３吸収性パッドを容易に判別でき、取り外す吸収性パッドを簡単に選ぶことができる。この場合、第１吸収性パッドと第３吸収性パッドは、同じ色または柄を有していても、互いに異なる色または柄を有していてもよい。吸収性パッド積層体が４つ以上の吸収性パッドが積層されている場合は、上下に隣接する吸収性パッドが互いに異なる色または柄を有するように形成されていることが好ましい。
【００４３】
吸収性パッド積層体は、第１吸収性パッドが白色であり、第２吸収性パッドが白色以外に着色されていることが好ましい。吸収性パッドは一般に白色であることから、吸収性パッド積層体を使用する際に最も目立つ第１吸収性パッドが白色を有していれば、使用者が吸収性パッド積層体に対して視覚的に違和感を覚えにくくなる。また、第１吸収性パッドには着色を施さなくても済むため、吸収性パッド積層体の製造コストを抑えることができる。
【００４４】
吸収性パッド積層体が第１〜第３吸収性パッドを有する場合は、第１吸収性パッドと第３吸収性パッドが白色であり、第２吸収性パッドが白色以外に着色されていることが好ましい。このように吸収性パッド積層体が構成されていれば、使用者が吸収性パッド積層体に対して視覚的な違和感を覚えにくくなるとともに、第１吸収性パッドと第３吸収性パッドに着色を施さなくても済むため、吸収性パッド積層体の製造コストを抑えることができる。４つ以上の吸収性パッドが積層されている場合は、上から奇数番目の吸収性パッドが白色で、偶数番目の吸収性パッドが白色以外に着色されていることが好ましい。
【００４５】
吸収性パッドが白色以外に着色される場合、吸収性パッドは吸収体の下側に配される裏面シートが着色されていることが好ましい。吸収性パッドの表面シートは一般に白色または無色の薄いシートから構成されているため、裏面シートを着色しても表面シートを通して裏面シートの色を視認することができるが、裏面シートの上側には吸収体が配されているため、吸収性パッドを上面側から見た際、裏面シートの着色された部分は吸収性パッドの周縁部分に限定されることとなる。そのため、使用者が着色された吸収性パッドを目の当たりにしても、視覚的な違和感を覚えにくくなる。また、吸収性パッドに排泄された尿等の体液を、従来の吸収性パッドと同じように確認することができ、取り扱い性に優れたものとなる。なお、吸収性パッド積層体が、第１吸収性パッドが白色であり、第２吸収性パッドが着色されている場合、あるいは第１吸収性パッドと第３吸収性パッドが白色であり、第２吸収性パッドが白色以外に着色されている場合は、第２吸収性パッドの裏面シートが着色されていればよい。従って、吸収性パッド積層体は、少なくとも第２吸収性パッドの裏面シートが着色されていることが好ましい。
【００４６】
上下に隣接する吸収性パッドは、吸収性パッド積層体を上面側から見て視認可能な部分が、互いに異なる色または柄を有していることが好ましい。従って、上下に隣接する吸収性パッドは、少なくとも長手方向の端縁またはその近傍が互いに異なる色または柄を有していることが好ましい。例えば、上下に隣接する吸収性パッドは、少なくとも各吸収性パッドの長手方向の端縁から３０ｍｍ以内（より好ましくは２０ｍｍ以内）の領域が互いに異なる色または柄を有するように形成されていることが好ましい。
【００４７】
吸収性パッドの裏面シートが着色される場合、裏面シートは、吸収性パッド積層体を上面側から見て、表面シートを通して視認可能な部分が着色されていることが好ましい。従って、この場合、裏面シートは、少なくとも吸収性パッドの長手方向の端縁から３０ｍｍ以内（より好ましくは２０ｍｍ以内）の領域の一部または全部が着色されていることが好ましい。着色される裏面シートは、吸収体の下側に配されるシートであれば特に限定されず、吸収体の下側に複数のシートが配される場合は、その内の少なくとも１つのシートが着色されていればよい。
【００４８】
吸収性パッドは、蛍光色に着色されていてもよい。特に、裏面シートが蛍光色に着色されていれば、その上に表面シートが重ねられていても、裏面シートの着色部分が目立ち、各吸収性パッドを容易に判別できるようになる。また、吸収性パッドは発光材や蓄光材を含んで着色されていてもよく、これにより暗所でも各吸収性パッドを容易に判別できるようになる。
【００４９】
上下に隣接する吸収性パッドは取り外し可能に互いに接合され、上側の吸収性パッドの外縁は、下側の吸収性パッドの外縁よりも内方に位置する部分で、下側の吸収性パッドと接合されずに、非接合領域が形成されていることが好ましい。このように吸収性パッドの外縁およびその近傍に非接合領域が形成されていれば、上側の吸収性パッドを下側の吸収性パッドから取り外す際に、上側の吸収性パッドの外縁を摘まみやすくなる。そのため、上下に隣接する吸収性パッドが互いに異なる色または柄を有するように形成されるのと相まって、吸収性パッドを取り外す作業が容易になる。
【００５０】
吸収性パッドの非接合領域は、吸収性パッドの取り外し作業が容易に行え、かつ吸収性パッド積層体を着用している際に、吸収性パッドの外縁やその近傍が折れ曲がったりすることにより、着用者の邪魔になることがないように形成されていることが好ましい。この点から、非接合領域は、上側の吸収性パッドの外縁から１ｍｍ以上１０ｍｍ以下の奥行き（より好ましくは２ｍｍ以上８ｍｍ以下の奥行き）で形成されていることが好ましい。このように非接合領域が形成されていれば、上側の吸収性パッドを取り外す際に、吸収性パッドの外縁を摘まみやすくなるとともに、吸収性パッドの外縁が浮き上がって折れ曲がったりしにくくなる。
【００５１】
非接合領域はエンボス加工されていることが好ましい。非接合領域がエンボス加工されていれば、非接合領域の剛性が高まり、吸収性パッドの外縁を摘まみやすくなる。また、吸収性パッドの外縁やその近傍が折れ曲がりにくくなる。
【００５２】
非接合領域のエンボス加工は、加熱しながら押圧するものであってもよく、加熱せずに単に押圧するものであってもよい。また、非接合領域のエンボス加工は、積層された吸収性パッドどうしを取り外し可能に互いに接合する際に付与されるものであってもよい。
【００５３】
下側の吸収性パッドが上側の吸収性パッドよりも長手方向の外方に延在するように形成されている場合は、非接合領域が吸収性パッドの長手方向の端部に形成されることが好ましい。このように吸収性パッド積層体が構成されていれば、吸収性パッドを取り外す際に吸収性パッドの長手方向の端部を摘まみやすくなり、吸収性パッドの取り外し作業を行いやすくなる。
【００５４】
本発明の吸収性パッド積層体は、吸収性パッドの裏面シートが水溶性フィルムを含んで構成されていてもよい。この場合、吸収性パッドは、水溶性フィルムが溶けることにより外部へ液が漏洩可能に形成されていることが好ましい。吸収性パッド積層体は、例えば、少なくとも最も下側の吸収性パッド以外の吸収性パッドの裏面シートが水溶性フィルムを含んで構成され、さらに、最も下側の吸収性パッドの裏面シートも水溶性フィルムを含んで構成されていてもよい。このように吸収性パッドが構成されていれば、水溶性フィルムが破れずに存在する状態では、着用者から排泄された尿等の体液が吸収性パッドの吸収体に吸収される。水溶性フィルムは、水分（すなわち尿等の体液）と接触してから溶けるまでにある程度の時間を要するため、初期あるいは１回目に排泄された尿等は、例えば第１吸収性パッドに吸収される。そして、尿等と接触した水溶性フィルムは次の排泄までの間に徐々に溶け、２回目以降の排泄の際には、第１吸収性パッドに排泄された尿等が裏面シートを通り抜けて第１吸収性パッドの外部へ漏洩することとなる。第１吸収性パッドの外部へ漏洩した尿等は、その下側に設けられた第２吸収性パッドに吸収される。そのため、各吸収性パッドの吸収能が十分に活用されるとともに、尿等が吸収性パッド積層体から溢れて横漏れすることも起こりにくくなる。
【００５５】
吸収性パッドの裏面シートが水溶性フィルムを含んで構成される場合も、吸収性パッド積層体は、着用者からの尿等の排泄状況に応じて、吸収性パッドを適宜１つまたは２つ以上取り外して使用すればよい。例えば、着用者からの排泄物のたびに吸収性パッドを１つずつ取り外して使用すれば、着用者はフレッシュな状態で吸収性パッド積層体を使用することができる。吸収性パッド積層体に尿等が大量に排泄された場合は、吸収性パッドの水溶性フィルムが溶けることにより尿等が上側の吸収性パッドから下側の吸収性パッドに順次移行するため、尿等の横漏れも起こりにくくなる。吸収性パッド積層体に尿等が大量に排泄された場合は、吸収性パッドの使用状況に応じて、吸収性パッドを一度に２つ以上取り外して使用してもよい。この際、上記に説明したように、任意の吸収性パッドを簡単に判別することができるため、所望する吸収性パッドを容易に取り外すことができる。
【００５６】
裏面シートは、全体が水溶性フィルムから構成されていてもよく、一部が水溶性フィルムから構成されていてもよい。水溶性フィルムは公知のものを用いればよく、ポリビニルアルコール、カルボキシメチルセルロース、メチルセルロース、ヒドロキシエチルメチルセルロース、ヒドロキシプロピルメチルセルロース、ヒドロキシプロピルセルロース、ポリエチレンオキシド、ポリビニルピロリドン、アルギン酸ナトリウム、ゼラチン、デンプン、プルラン等から構成されたフィルムを用いることができる。水溶性フィルムの厚みは、溶解のしやすさを考慮して適宜設定すればよく、例えば、５μｍ以上が好ましく、１０μｍ以上がより好ましく、また１００μｍ以下が好ましく、８０μｍ以下がより好ましい。
【００５７】
裏面シートは、液不透過性領域と、水溶性フィルムにより漏洩可能となっている領域とで構成されていてもよい。例えば、液不透過性領域を裏面シートの長手方向の中央部および／または幅方向の中央部に設け、それ以外を漏洩可能領域とすることで、尿等が裏面シートを平面方向に広がりやすくなり、吸収性パッドの吸収能をより効率的に活用することが可能となる。なお、裏面シートが漏洩可能に形成される領域は、裏面シートの全体の面積の３０％以上を占めることが好ましく、５０％以上を占めることがより好ましい。裏面シートの液不透過性領域は、例えば、液不透過性シートにより形成してもよく、水溶性フィルムにシリコーン加工やフッ素加工等の撥水化処理を施すことにより形成してもよい。
【００５８】
裏面シートは、水溶性フィルムを含んで構成される第１裏面シートと、液透過性の第２裏面シートとが重ねられて構成されていてもよい。この場合、第１裏面シートが水溶性フィルムによって漏洩可能となっている領域に、液透過性の第２裏面シートが重ねられることが好ましい。第１裏面シートの水溶性フィルムに液透過性の第２裏面シートが重ねられていれば、水溶性フィルムが溶けても、吸収体に含まれる吸収性材料が外部に脱落しにくくなる。そのため、例えば、第１吸収性パッドに尿等が排泄された後、第１吸収性パッドを取り外してその下にある第２吸収性パッドを使用する場合など、第１吸収性パッドの取り扱いにそれほど注意を払わなくても、第１吸収性パッドを容易に取り外すことができる。一方、第２裏面シートは液透過性であるため、第２裏面シートが設けられていても、尿等が吸収性パッドの外部へ漏洩することができる。第２裏面シートとしては、表面シートに使用可能なシート部材を用いることができる。
【００５９】
第１裏面シートと第２裏面シートの上下方向の配置の順番は特に限定されない。第２裏面シートは、第１裏面シートの水溶性フィルムの上側に設けられても下側に設けられてもよい。
【００６０】
例えば、液透過性の第２裏面シートが第１裏面シートの水溶性フィルムの上側に設けられていれば、尿等が水溶性フィルムと接触して水溶性フィルムが溶けることにより、尿等がスムーズに吸収性パッドの外部に流出しやすくなる。この場合、溶けて分散した水溶性フィルムが第２裏面シートから剥離しやすくなるため、水溶性フィルムの一部が溶けるだけで、尿等が裏面シートを通り抜けて外部にスムーズに移行しやすくなる。従って、当該吸収性パッドにおいて尿等の横漏れが起こりにくくなる。
【００６１】
一方、液透過性の第２裏面シートが水溶性フィルムの下側に設けられていれば、水溶性フィルムは完全に溶けたものが第２裏面シートを通り抜けて外部に流出することとなるため、例えばその下の別の吸収性パッドに、一部が溶けて塊状（ゲル状）になった水溶性フィルムが移行しにくくなる。そのため、吸収性パッドに尿等が排泄された後、例えば第１吸収性パッドを取り外してその下の第２吸収性パッドを使用する場合に、第２吸収性パッドの上面に水溶性フィルムが塊として存在しにくくなり、着用者が違和感を覚えにくくなる。第２裏面シートを水溶性フィルムの下側に設ける場合は、水溶性フィルムが溶けて尿等が吸収性パッドの外部に漏洩しやすくする点から、水溶性フィルムは比較的薄く形成されることが好ましく、水溶性フィルムの厚みは例えば６０μｍ以下とすることが好ましい。
【００６２】
第２裏面シートは吸収体よりも広い範囲で設けられることが好ましい。具体的には、第２裏面シートは、吸収体の外縁全体より外方に延在するように設けられることが好ましい。このように第２裏面シートが設けられれば、吸収体に含まれる吸収性材料が外部に脱落しにくくなる。
【００６３】
本発明の吸収性パッド積層体は、上記に説明したように、吸収性パッドの裏面シートが着色されてもよいため、裏面シートが水溶性フィルムを含んで構成される場合は、裏面シートを構成する水溶性フィルムが着色されていてもよく、液不透過性領域を形成する液不透過性シートや液透過性の第２裏面シートが着色されていてもよい。なお裏面シートは、吸収性パッド積層体を上面側から見て、表面シートを通して視認可能な部分が着色されていることが好ましい。
【００６４】
本発明の吸収性パッド積層体は、認知症患者の排泄ケアに特に有効に用いることができる。例えば、排泄の自覚がある軽度の認知症患者の場合は、できるだけ患者自身で排泄管理をすることが好ましく、尿パッド等を使用する場合は、患者自身で素早くパッド交換できることが好ましい。この点で、本発明の吸収性パッド積層体は、吸収性パッドを取り外すだけで簡便にパッド交換ができ、患者にとって使いやすいものとなる。排泄の自覚がない中度の認知症患者の場合は、患者本人の自尊心を確保しつつ、介護者ができるだけ素早くパッド交換できることが好ましい。この点で、本発明の吸収性パッド積層体は、介護者が簡単に吸収性パッドを取り外すことができ、しかも大量の尿等が排泄された場合は吸収性パッドを２つ以上取り外すことで、フレッシュな状態で吸収性パッド積層体を使用することが可能となる。排泄の概念すらない重度の認知症患者では、パッド交換作業に患者本人の協力が得られない場合があり、この点で、本発明の吸収性パッド積層体は、介護者が簡単に吸収性パッドを取り外すことができ有効である。また、排泄のタイミングを介護者が気付かず患者が複数回排泄した場合であっても、使用状況に応じて吸収性パッドを１つまたは２つ以上取り外すことで、フレッシュな状態で吸収性パッド積層体を使用することが可能となる。
【００６５】
本発明の吸収性パッド積層体の構成例について、図１および図２を参照して説明する。図１および図２には、本発明の吸収性パッド積層体の一例を示した。図１は、吸収性パッド積層体を上面側から見た平面図を表し、図２は、図１のＡ−Ａ断面図を表す。図面では、矢印ｘが幅方向を表し、矢印ｙが長手方向を表し、矢印ｚが上下方向を表す。なお本発明の吸収性パッド積層体は、図面に示された実施態様に限定されない。
【００６６】
吸収性パッド積層体１は、複数の吸収性パッド２が積層されて構成されており、最も上側の第１吸収性パッド２Ａと、その下側に設けられた第２吸収性パッド２Ｂと、さらにその下側に設けられた第３吸収性パッド２Ｃとを有している。各吸収性パッド２は、吸収体３と、吸収体３の上側に配された表面シート４と、吸収体３の下側に配された裏面シート５とを有している。裏面シート５は、吸収性パッド２の下面を形成する第１裏面シート６と、吸収体３と第１裏面シート６との間に配された第２裏面シート７から構成されている。
【００６７】
吸収性パッド２は、表面シート４が液透過性である。一方、裏面シート５は、液透過性であっても液不透過性であってもよい。裏面シート５は、例えば、第１裏面シート６が液不透過性であり、第２裏面シート７が液透過性（親水性）であってもよい。この場合、吸収性パッド２に排泄された尿等が、第２裏面シート７によって平面方向への拡散が促進され、第１裏面シート６によって、吸収性パッド２からの漏れが防止される。第１裏面シート６と第２裏面シート７はともに液透過性であってもよく、この場合、吸収性パッド２に排泄された尿等が裏面シート５から透過して、その下の別の吸収性パッド２に吸収されることとなる。第１裏面シート６と第２裏面シート７は一方が液透過性シートから構成され他方が水溶性フィルムから構成されていてもよく、この場合、吸収性パッド２に排泄された尿等が水溶性フィルムによって平面方向への拡散が促進され、吸収体３の吸収能が十分に活用されるようになるとともに、水溶性フィルムが溶けて破れた後は、吸収性パッド２に排泄された尿等が裏面シート５から透過して、その下の別の吸収性パッド２に吸収されることとなる。
【００６８】
吸収性パッド積層体１は、第２吸収性パッド２Ｂが第１吸収性パッド２Ａの外縁より外方に延在し、第３吸収性パッド２Ｃが第２吸収性パッド２Ｂの外縁より外方に延在している。具体的には、第２吸収性パッド２Ｂは第１吸収性パッド２Ａよりも長手方向ｙの外方に延在し、第３吸収性パッド２Ｃは第２吸収性パッド２Ｂよりも長手方向ｙの外方に延在している。そして、第１吸収性パッド２Ａと第２吸収性パッド２Ｂが互いに異なる色または柄を有し、第２吸収性パッド２Ｂと第３吸収性パッド２Ｃが互いに異なる色または柄を有している。吸収性パッド積層体１はこのように構成されているため、吸収性パッド積層体１を上面側から見たとき、各吸収性パッド２Ａ，２Ｂ，２Ｃを容易に判別でき、所望する吸収性パッド２を簡単に取り外すことができる。
【００６９】
上下に隣接する吸収性パッド２は、裏面シート５が互いに異なる色または柄を有していることが好ましい。裏面シート５としては、第１裏面シート６が互いに異なる色または柄を有していてもよく、第２裏面シート７が互いに異なる色または柄を有していてもよい。
【００７０】
上下に隣接する吸収性パッド２は、図２に示すように、接合手段８により取り外し可能に互いに接合され、長手方向ｙの端部（接合手段８よりも長手方向ｙの外方部分）に非接合領域が形成されている。図２では、第１吸収性パッド２Ａと第２吸収性パッド２Ｂの下面の長手方向ｙの端部（長手方向ｙの端縁から所定の領域）にそれぞれ、その下の第２吸収性パッド２Ｂと第３吸収性パッド２Ｃと接合されない非接合領域が形成されている。第１吸収性パッド２Ａと第２吸収性パッド２Ｂの長手方向ｙの端部にそれぞれ非接合領域が形成されていれば、第１吸収性パッド２Ａと第２吸収性パッド２Ｂを取り外す際に、長手方向ｙの端部を摘まみやすくなり、吸収性パッド２の取り外し作業が容易になる。
【００７１】
次に、本発明の吸収性物品について説明する。本発明の吸収性物品は、液透過性のトップシートと、液不透過性のバックシートと、これらの間に配された主吸収体とを有し、本発明の吸収性パッド積層体がトップシートの上面に設けられている。吸収性物品としては、代表的には使い捨ておむつが挙げられる。本発明の吸収性物品は、一般の吸収性物品と同じように着用することができ、しかも本発明の吸収性パッド積層体と同様の効果を得ることができる。
【００７２】
吸収性物品が使い捨ておむつである場合、使い捨ておむつは、例えば、前側部と後側部とこれらの間に位置し主吸収体が備えられた股部とから構成される。使い捨ておむつは、例えば、前側部と後側部とこれらの間に位置する股部とを有するパンツ部材の股部に、トップシートとバックシートの間に主吸収体が配された積層体が備えられて構成される。使い捨ておむつはまた、トップシートとバックシートの間に主吸収体が配された積層体が、前側部と後側部とこれらの間に位置する股部とを有するパンツ形状に形成されていてもよい。
【００７３】
前側部は、使い捨ておむつを着用の際に着用者の腹側に当てる部分に相当し、後側部は、使い捨ておむつを着用の際に着用者の背側に当てる部分に相当する。股部は、前側部と後側部との間に位置し、着用者の股間に当てる部分に相当する。
【００７４】
使い捨ておむつは、後側部の左右側端に一対の止着部材が設けられ、当該止着部材により着用時にパンツ形状に形成するオープンタイプ（テープタイプ）の使い捨ておむつであったり、前側部と後側部とが接合されることによりウェスト開口部と一対の脚開口部とが形成されたパンツタイプの使い捨ておむつであってもよい。
【００７５】
トップシートは、吸収性物品を着用の際に着用者側に位置するシートである。トップシートは液透過性であり、表面シートに使用可能なシートを用いることができる。
【００７６】
バックシートは、吸収性物品を着用の際に着用者とは反対側、すなわち外側に位置するシートである。バックシートは液不透過性であり、液不透過性の裏面シートに使用可能なシートを用いることができる。
【００７７】
主吸収体としては、上記に説明した吸収性パッドの吸収体を用いることができる。なお、吸収性物品の主吸収体に用いる吸収性材料と、吸収性パッドの吸収体に用いる吸収性材料は、同じであっても異なっていてもよい。主吸収体の形状も特に限定されない。
【００７８】
吸収性物品の主吸収体は、吸収性パッド積層体を構成する各吸収性パッドの吸収体よりも、目付（単位面積当たりの質量）が大きいことが好ましい。吸収性物品の主吸収体の目付を比較的大きく形成することで、尿等が大量に排泄されても、吸収性物品から尿等が漏れるのを防止しやすくなる。
【００７９】
吸収性物品は、トップシートの幅方向の両側に立ち上がりフラップが設けられることが好ましい。立ち上がりフラップを設けることにより、尿等の横漏れが防止される。また、立ち上がりフラップを設けることにより、その間に吸収性パッド積層体を安定して載置しやすくなる。立ち上がりフラップは、例えば、トップシートの幅方向の両側に、長手方向に延在するサイドシートを接合し、サイドシートの幅方向内方に弾性部材を設けることにより形成される。立ち上がりフラップまたはサイドシートは、液不透過性のプラスチックフィルムや液不透過性の不織布等により構成されることが好ましい。
【００８０】
吸収性パッド積層体は、固定手段により、トップシートの上面に取り付けられていることが好ましい。固定手段としては、接着剤やフック・ループ・ファスナーのフック部材等が挙げられる。
【００８１】
吸収性パッド積層体が吸収性物品のトップシートの上面に設けられる場合、最も下側に位置する吸収性パッドの裏面シートは、液透過性であっても液不透過性であってもよく、また水溶性フィルムを含んで構成されていてもよい。最も下側に位置する吸収性パッドの裏面シートが液不透過性である場合は、吸収性パッドは、トップシートに対して取り外し可能に取り付けられていることが好ましい。最も下側に位置する吸収性パッドの裏面シートが液透過性であったり、水溶性フィルムを含んで構成される場合は、吸収性パッドは、トップシートに対して取り外し可能に取り付けられていてもよく、完全に固定して取り付けられてもよい。
【００８２】
本発明の吸収性物品は、上記に説明した吸収性パッド積層体と同じように使用することができる。すなわち吸収性物品は、着用者からの尿等の排泄状況に応じて、トップシートの上面に設けられた吸収性パッド積層体から吸収性パッドを適宜１つまたは２つ以上取り外して使用することができる。この際、吸収性パッド積層体を構成する各吸収性パッドを容易に判別できるため、取り外す吸収性パッドを簡単に選ぶことができ、吸収性パッドの取り外し作業を簡単に行えるようになる。
【符号の説明】
【００８３】
１：吸収性パッド積層体
２：吸収性パッド、２Ａ：第１吸収性パッド、２Ｂ：第２吸収性パッド、２Ｃ：第３吸収性パッド
３：吸収体
４：表面シート
５：裏面シート、６：第１裏面シート、７：第２裏面シート
８：接合手段
【図１】
0006514469.tif 000002
【図２】
0006514469.tif 000003